(57)【特許請求の範囲】
【請求項１】
第１外壁パネルと、上記第１外壁パネルの鉛直下側に配された第２外壁パネルとの間の横目地に配置される止水部材であって、
上記第２外壁パネルの鉛直上側の面に配置され、屋外側に水を排水する傾斜面を上面に有するベース部と、
上記ベース部の上記上面に設けられ、見切りカバーを弾性的に支持する支持部とを備え、
上記支持部は、
上記見切りカバーに当接する当接部と、
上記当接部と上記ベース部とを接続し、水平方向に凸となるよう屈曲または湾曲している接続部とを有することを特徴とする止水部材。
【請求項２】
上記当接部は、上記見切りカバーの一部に対して嵌合する形状を有することを特徴とする請求項１に記載の止水部材。
【請求項３】
上記支持部は、該支持部の屋内側から屋外側へ上記水が流れる空間を確保するように設けられており、
上記接続部は、上記見切りカバーの下方向への変位に応じて、上記当接部と上記ベース部との中間位置において屈曲することを特徴とする請求項１または２に記載の止水部材。
【請求項４】
第１外壁パネルと、上記第１外壁パネルの鉛直下側に配された第２外壁パネルとの間の横目地を外側から覆う化粧部と、
上記化粧部と連なるように形成されるとともに、止水部材に設けられている支持部によって上記第１外壁パネルの下面に接触するように支持される被支持部とを備え、
上記被支持部は、上記支持部の一部に対して嵌合する形状を有することを特徴とする見切りカバー。
【請求項５】
請求項１から３のいずれか一項に記載の止水部材と、見切りカバーとを備える横目地止水構造体であって、
上記見切りカバーは、
上記横目地を外側から覆う化粧部と、
上記化粧部と連なるように形成されるとともに、上記支持部によって上記第１外壁パネルの下面に接触するように支持される被支持部とを備えることを特徴とする横目地止水構造体。
【発明の詳細な説明】
【技術分野】
【０００１】
本発明は、建築物の横目地に装着される止水部材、見切りカバーおよび横目地止水構造体に関する。
【背景技術】
【０００２】
住宅等の建築物において、屋外に露出する外壁パネルの間の目地（縦目地および横目地）には、当該建築物への雨水の浸入を防ぐために、種々の止水構造体が用いられている。従来の止水構造体としては、図４の（ａ）に示すようなシーリング材が、縦目地および横目地に装着されるのが一般的である。また、上下方向の外壁パネルの間の横目地に用いられる止水構造体の例が、特許文献１および２に開示されている。
【０００３】
特許文献１には、水切り縁と被係止部との間に排水換気用の空間を形成したバルコニーが開示されている。また、特許文献２には、横目地を覆うとともに通気路を形成する見切り部材が横目地面部に装着された外壁の排水通気構造が開示されている。
【先行技術文献】
【特許文献】
【０００４】
【特許文献１】特開２００５−２５６４８０号公報（２００５年９月２２日公開）
【特許文献２】特開２０１５−９００４２号公報（２０１５年５月１１日公開）
【発明の概要】
【発明が解決しようとする課題】
【０００５】
しかしながら、図４の（ａ）に示すシーリング材が経年劣化等により破断した場合、当該破断箇所として、図４の（ｂ）および（ｃ）に示すように、外壁パネルとシーリング材との接触箇所に生じた隙間から、雨水等は浸入する。そして、浸入した雨水等は、さらにシーリング材の屋内側の隙間に浸入することとなる。ここで、図４の（ａ）に示すシーリング材は排水可能な構造にはなっていないことから、シーリング材の屋内側の隙間に浸入した雨水等は、図４の（ｄ）に示すように、ＥＰＤＭ製のスポンジで止水し切れずに漏水する可能性があった。一方、特許文献１、２に記載の技術には、以下のような問題点があった。
【０００６】
特許文献１に記載の技術では、水切り縁とバルコニー用内壁材との間に隙間があり、隙間をシーリング材で埋める必要がある。特許文献２に記載の技術では、見切り部材の上下方向における位置が固定されているため、横目地の高さが変化したときに見切り部材と外壁パネルとの間に隙間ができる。
【０００７】
本発明は、上記の各問題点を解決するためになされたものであり、その目的は、見切りカバーの下方向への変位に対して、横目地の奥行き方向における見切りカバーの位置を安定的に維持する横目地止水構造体を実現することにある。
【課題を解決するための手段】
【０００８】
本発明の一態様に係る止水部材は、第１外壁パネルと、上記第１外壁パネルの鉛直下側に配された第２外壁パネルとの間の横目地に配置される止水部材であって、上記第２外壁パネルの鉛直上側の面に配置され、屋外側に水を排水する傾斜面を上面に有するベース部と、上記ベース部の上記上面に設けられ、見切りカバーを弾性的に支持する支持部とを備え、上記支持部は、上記見切りカバーに当接する当接部と、上記当接部と上記ベース部とを接続し、水平方向に凸となるよう屈曲または湾曲している接続部とを有する構成である。
【０００９】
上記の構成によれば、支持部の接続部は、水平方向に凸となるよう元々屈曲または湾曲している。そのため、見切りカバーの上に第１外壁パネルが配置されることにより、見切りカバーが下方向に変位したとき、接続部は、元々屈曲または湾曲していた箇所においてさらに屈曲または湾曲する。そのため、接続部が屈曲または湾曲したときに当接部の位置が屋外側または屋内側にシフトすることを抑制することができる。そのため、横目地の奥行き方向における見切りカバーの位置を安定的に維持することができる。
【００１０】
また、上記当接部は、上記見切りカバーの一部に対して嵌合する形状を有する構成であってもよい。
【００１１】
上記の構成によれば、当接部と見切りカバーとの嵌合により、見切りカバーが当接部に固定される。これにより、見切りカバーの奥行き方向における位置が固定される。
【００１２】
また、上記支持部は、該支持部の屋内側から屋外側へ上記水が流れる空間を確保するように設けられており、上記接続部は、上記見切りカバーの下方向への変位に応じて、上記当接部と上記ベース部との中間位置において屈曲する構成であってもよい。
【００１３】
上記の構成によれば、支持部より屋内側に浸入した水を屋外側へ排水することができる。また、接続部は、見切りカバーの下方向への変位に応じて、当接部とベース部との中間位置において屈曲する。水平方向に凸となった接続部が中間位置において屈曲することにより、屈曲する箇所の上下で奥行き方向における接続部の変位が発生しない。それゆえ、接続部が屈曲したときに当接部の位置が屋外側または屋内側にシフトすることを抑制することができる。
【００１４】
本発明の一態様に係る見切りカバーは、第１外壁パネルと、上記第１外壁パネルの鉛直下側に配された第２外壁パネルとの間の横目地を外側から覆う化粧部と、上記化粧部と連なるように形成されるとともに、止水部材に設けられている支持部によって上記第１外壁パネルの下面に接触するように支持される被支持部とを備え、上記被支持部は、上記支持部の一部に対して嵌合する形状を有する構成である。
【００１５】
上記の構成によれば、支持部の一部と被支持部との嵌合により、見切りカバーが止水部材に固定される。これにより、見切りカバーの奥行き方向における位置が固定される。また、横目地の高さが変化しても、第１外壁パネルと見切りカバーとの隙間をなくすことができる。
【００１６】
本発明の一態様に係る横目地止水構造体は、上記止水部材と、見切りカバーとを備える横目地止水構造体であって、上記見切りカバーは、上記横目地を外側から覆う化粧部と、上記化粧部と連なるように形成されるとともに、上記支持部によって上記第１外壁パネルの下面に接触するように支持される被支持部とを備える構成である。
【発明の効果】
【００１７】
本発明の一態様によれば、横目地の奥行き方向における見切りカバーの位置を安定的に維持することができる。
【図面の簡単な説明】
【００１８】
【図１】本発明の一実施形態に係る横目地止水構造体の要部を示す断面図である。
【図２】上記横目地止水構造体および上側外壁パネルの組付け手順を示す模式図である。
【図３】第１支持部の変形例を示す側面図である。
【図４】（ａ）は、従来のシーリング材が建築物の目地に装着されている様子を模式的に示す外観図である。（ｂ）は、図４の（ａ）に示す縦目地に装着された従来のシーリング材のＡ−Ａ線矢視断面図である。（ｃ）は、図４の（ａ）に示す横目地に装着された従来のシーリング材のＢ−Ｂ線矢視断面図である。（ｄ）は、図４の（ａ）に示す横目地に装着された従来のシーリング材のＣ−Ｃ線矢視断面図である。
【発明を実施するための形態】
【００１９】
＜横目地止水構造体の要部の構造＞
図１は、本発明の一実施形態に係る横目地止水構造体１の要部を示す断面図である。なお、以下では、便宜上、紙面に向かって右側を右方、左側を左方とする。
【００２０】
上側外壁パネル５および下側外壁パネル６は、建築物の躯体７に固定される。躯体７は、柱、梁、フレーム、または壁等で構成される。右方が屋内側、左方が屋外側（外側）である。図１では、上側外壁パネル５および下側外壁パネル６については、その側面を描いている。下側外壁パネル６は、上側外壁パネル５の鉛直下側に配置される。横目地止水構造体１は、上側外壁パネル５と下側外壁パネル６との間の横目地４に配置される。ここで、横目地とは上下に並ぶ外壁パネルの間の、横方向に延びる隙間（空間）を指す。横目地の上側に位置する外壁パネルを上側外壁パネル（第１外壁パネル）と表し、横目地の下側に位置する外壁パネルを下側外壁パネル（第２外壁パネル）と表す。横目地止水構造体１は、横目地４への雨水等の浸入を防止するとともに、横目地４の内部に浸入した雨水等を屋外側（外壁パネルの外側）に排出するものである。図１に示すように、横目地止水構造体１は、見切りカバー２と止水部材３とを備えている。横目地止水構造体１は、図１の図面に垂直な方向に沿って延びている形状である。
【００２１】
見切りカバー２は、横目地４の屋外側から雨水等が浸入することを防止するものである。見切りカバー２は、図１に示すように、互いに連なった化粧部２１と被支持部２２とを備える。見切りカバー２は、例えば金属または硬質樹脂等で形成される。
【００２２】
化粧部２１は、図１に示すように、横目地４の屋外側を覆うように断面が略Ｌ字形状となっている。化粧部２１の屋外側端部が下方に延びているため、化粧部２１によって横目地４が隠される。化粧部２１の断面形状は、例えば、曲線形状であってもよい。また、化粧部２１には、止水部材側係止部３３に掛かる見切りカバー側係止部２１ａが、下方向に突出するように設けられている。見切りカバー側係止部２１ａの形状は平板形状となっている。
【００２３】
被支持部２２は、止水部材３の第１支持部３２によって、上側外壁パネル５の下面に接触するように支持される。被支持部２２は、第１支持部３２の一部（当接部３２ａ）と嵌合する形状を有する。ここでは、被支持部２２の下面に形成された凹部に第１支持部３２が嵌り込む。側面方向（横目地が延びる方向）から見て、凹部の断面形状はＣ字状になっている。凹部の端は、第１支持部３２が抜けないよう、第１支持部３２の一部に掛かる。なお、これらの断面形状は図１に限定されず、被支持部２２の一部が第１支持部３２に形成された凹部に嵌り込むように、被支持部２２および第１支持部３２が形成されていてもよい。被支持部２２の上面は、平面であり、上側外壁パネル５の下面に接触する。被支持部２２の上面に、屋外からの雨水等の浸入を防ぐためのガスケットを設けてもよい。ガスケットは、例えばＥＰＤＭ（エチレン・プロピレンジエンモノマー）を主体とするスポンジで形成することができる。なお、ガスケットは、ＥＰＤＭを主体とする代わりにその他の材質で形成されていてもよい。例えば、天然ゴム、ＩＲ（イソプレンゴム）またはＣＲ（クロロプレンゴム）を主体とするゴム材料、様々な熱可塑性エストラマー、ウレタン、ＰＶＣ（ポリ塩化ビニル）といったゴム様弾性体によって形成されているガスケットを用いるのが好ましい。
【００２４】
止水部材３は、横目地４の内部に浸入した雨水等を屋外に排水する機能と見切り材２を支持する機能とを有する。止水部材３は、後述するベース部３１、第１支持部３２、止水部材側係止部３３、立ち上げ部３４、および第２支持部３５を備える。ベース部３１、止水部材側係止部３３、および立ち上げ部３４は、例えば金属または硬質樹脂等で形成される。さらに、後述する第１支持部３２、第２支持部３５、および防水部３４ａは、例えば上述したゴム様弾性体（例えば軟質樹脂等）で形成される。
【００２５】
ベース部３１は、下側外壁パネル６の鉛直上側の面（上面６ａ）に配置される。ベース部３１は、浸入した雨水が自然に屋外側（躯体７から遠ざかる方向）に排水されるように屋内側から屋外側へ向けて下方向に傾斜した傾斜面を、上面３１ｃに有する。なお、ベース部３１の下面の形状は、下側外壁パネル６の上面６ａの形状に対応している。ベース部３１の屋外側下端部および屋内側下端部には、下側外壁パネル６の屋外側上端部および屋内側上端部にそれぞれ係止する、断面形状が略Ｌ字の補助係止部３１ｂが設けられている。この補助係止部３１ｂによって、止水部材３を下側外壁パネル６に固定することができる。
【００２６】
第１支持部３２は、ベース部３１の上面に設けられており、見切りカバー２を弾性的に支持する。第１支持部３２が弾性的に変形可能であるように、第１支持部３２は上述したゴム様弾性体で形成される。第１支持部３２は、見切りカバー２に当接する当接部３２ａ、および、当接部３２ａとベース部３１とを接続する接続部３２ｂを有する。第１支持部３２は、見切りカバー２を支持することで、ベース部３１と見切りカバー２との間に、水が流れる空間を確保する。
【００２７】
当接部３２ａは、見切りカバー２の一部（被支持部２２）に対して嵌合する形状を有する。また、当接部３２ａの下側（ベース部３１側）には、ベース部３１に対する当たり止めとして機能する突起３２ｃが設けられている。特に見切りカバー２は当接部３２ａに上から押しつけて取り付けられるが、この際に突起３２ｃがベース部３１に当接すると、見切りカバー２を当接部３２ａに取り付けることが容易になる。
【００２８】
接続部３２ｂは、水平方向に凸となるよう屈曲または湾曲している形状を有する。図１に示す例では、接続部３２ｂの屈曲した部位が、“＜”のように左方に凸の形状となっている（略く字形状）。接続部３２ｂが弾性的に屈曲または湾曲することにより、第１支持部３２は見切りカバー２に対して上方向に力を与える。
【００２９】
止水部材側係止部３３は、ベース部３１の屋外側端部に、上方向に突出するように設けられている。止水部材側係止部３３は、見切りカバー側係止部２１ａに掛かることにより、見切りカバー２の屋外側への移動を規制し、脱落を防止する。
【００３０】
立ち上げ部３４は、略平板形状であり、上側外壁パネル５の下端部５ｂを屋内側から覆うように、ベース部３１の屋内側端部から上方向に突出している。なお、立ち上げ部３４の形状は、上側外壁パネル５の下端部を屋内側から覆うように設計されていればよい。立ち上げ部３４には、屋内側への雨水の浸入をより確実に防止するための防水部３４ａが、上側外壁パネル５の屋内側壁面に接触するように設けられている。なお、立ち上げ部３４のみでも横目地４から屋内側への雨水の浸入をある程度防ぐことができることから、立ち上げ部３４に防水部３４ａが設けられていなくてもよい。
【００３１】
第２支持部３５は、ベース部３１の上面に設けられており、見切りカバー２を弾性的に支持する。第２支持部３５が弾性的に変形可能であるように、第２支持部３５は上述したゴム様弾性体で形成される。第２支持部３５は、第２支持部３５の先端部が屋内側を向くように、第２支持部３５の付け根から先端部にかけて湾曲した形状となっている。
【００３２】
上側外壁パネル５の中に、または、縦目地に浸入した水は、見切りカバー２と立ち上げ部３４との間からベース部３１の上に流れ込む。水の流れを、図１において矢印で示す。ベース部３１の上面に設けられた傾斜面によって、浸入した水は屋外側へと流れる。なお、第１支持部３２、第２支持部３５、および止水部材側係止部３３には、浸入した水が屋外側へ通過できるように、一部に切り欠きまたは穴が設けられている。図１に示す例では、第１支持部３２、第２支持部３５、および止水部材側係止部３３において、斜線が施された位置より上側は、一部が切り欠かれている。浸入した水は止水部材３と見切りカバー２との間を通り、下側外壁パネル６より外側へ排水される。
【００３３】
＜横目地止水構造体の組付け手順＞
図２は、横目地止水構造体１および上側外壁パネル５の組付け手順を示す模式図である。横目地止水構造体１の組付けは、以下の手順を踏むことによって実現される。
【００３４】
（１）まず、図２の（ａ）に示すように、下側外壁パネル６の上面６ａに止水部材３を固定する。この時、補助係止部３１ｂを、下側外壁パネル６の屋外側上端部および屋内側上端部にそれぞれ係止する。なお、ベース部３１の下面には両面テープ（図示せず）が貼り付けられている。第１支持部３２の上に見切りカバー２が配置されていない状態において、接続部３２ｂは、水平方向に凸となるよう屈曲している。
【００３５】
（２）次に、図２の（ｂ）に示すように、見切りカバー２を止水部材３の第１支持部３２および第２支持部３５の上に配置する。そして、止水部材３の当接部３２ａを見切りカバー２の被支持部２２に嵌合させる。これにより、見切りカバー２は、止水部材３に固定され、水平方向（目地の奥行き方向）における位置が固定される。
【００３６】
なお、あらかじめ見切りカバー２と止水部材３とを組み合わせておいてもよい。つまり、あらかじめアセンブリされた横目地止水構造体１を、下側外壁パネル６の上面６ａに配置することもできる。このような手順にすることで、建設現場で見切りカバー２と止水部材３とを組み合わせる手間を省き、建設現場で管理する部品の数を削減することができる。
【００３７】
さらに、上記の説明では、下側外壁パネル６を建築物の躯体７に固定した後に横目地止水構造体１を該下側外壁パネル６に組付けたが、下側外壁パネル６を建築物の躯体７へ固定する前の、例えば建築現場に搬送される前、または建築現場において、あらかじめ横目地止水構造体１を下側外壁パネル６に取り付けておき、横目地止水構造体１が取り付けられた下側外壁パネル６を躯体７に取り付けてもよい。この場合、下側外壁パネル６が躯体７に固定されるまでの様々な作業によって横目地止水構造体１の組付け状態や組付き姿勢が変動しそうになっても、見切りカバー２は被支持部２２によって第１支持部３２の一部（当接部３２ａ）と嵌合しているため、見切りカバー２が止水部材３から外れることはない。また、見切りカバー２と止水部材３とを連結している接続部３２ｂが単純な屈曲形状であって、その屋外側に第２支持部３５が備わっているため、安定感に優れ、アセンブリされた姿勢は所定の形を維持することができる。
【００３８】
（３）次に、図２の（ｃ）に示すように、上側外壁パネル５を、見切りカバー２の上に載せるように、躯体７に取り付ける。上側外壁パネル５を上から下ろすことによって、見切りカバー２が下方向へ変位する。これにより、見切りカバー２を支持する接続部３２ｂが屈曲する。接続部３２ｂは、当接部３２ａとベース部３１との中間位置において水平方向に凸となるよう元々屈曲しているため、見切りカバー２の下方向への変位に応じて、元々屈曲していた箇所においてさらに屈曲する。すなわち、接続部３２ｂは、凸形状の水平方向の頂点の箇所において、さらに屈曲する。このように、見切りカバー２の下方向への変位によって接続部３２ｂが屈曲する箇所が、その他の接続部３２ｂの肉厚（断面方向の厚み）と同じで、特に屈曲箇所にノッチなどを入れて薄肉厚とすることをせずに、断面形状のみであらかじめ決められている。それゆえ、接続部３２ｂはゴム様弾性体の軟質樹脂であっても剛性が高く、横目地止水構造体１は、接続部３２ｂが屈曲したときに上下方向のみにシフトし、当接部３２ａの位置が目地の奥行き方向（屋内側または屋外側）にシフトすることを抑制することができる。そのため、横目地止水構造体１は、横目地に配置された後に上から上側外壁パネル５に押さえられた場合でも、見切りカバー２の奥行き方向における位置を安定的に維持することができる。
【００３９】
建築物に応じて、または、外壁パネルの取付精度に応じて、横目地の大きさは変化し得る。本実施形態の横目地止水構造体１では、上側外壁パネル５の位置に応じて、見切りカバー２の鉛直方向の位置を柔軟に変化させることで、見切りカバー２と上側外壁パネル５との隙間をなくすことができる。
【００４０】
以上のように、本実施形態に係る横目地止水構造体１は、あらかじめ外壁に見切りカバー２と止水部材３とをアセンブリした状態で備えさせ、現場では外壁を建築物の躯体７へ組付ける作業のみで完了できる。したがって、本実施形態に係る横目地止水構造体１は、例えば外壁の隣に別の壁が存在する等によって外壁を建築物の躯体７へ固定してしまうと屋外側から作業できない、所謂、狭所作業となる場合に適している。
【００４１】
＜第１支持部の変形例＞
図３は、第１支持部３２の変形例を示す側面図である。接続部３２ｂと当接部３２ａとの接続箇所、および、接続部３２ｂとベース部３１との接続箇所の位置は、上下に揃っていることが好ましい。ただし、これに限らず、接続部３２ｂの上下の接続箇所がずれていてもよい。また、接続部３２ｂは、建築物の外側に向かって凸になっていても、内側に向かって凸になっていてもよい（図３の（ａ））。
【００４２】
また、接続部３２ｂは、“（”または“）”のように水平方向に凸となるように弓なりに湾曲していてもよい（図３の（ｂ））。この場合でも、接続部３２ｂは、見切りカバー２の下方への変位に応じて、当接部３２ａとベース部３１との中間位置においてさらに湾曲する。これにより、当接部３２ａの位置が水平方向にシフトすることを抑制することができる。
【００４３】
また、接続部３２ｂは、ジグザグの断面形状を有するように、屈曲または湾曲している箇所を複数有していてもよい（図３の（ｃ））。
【００４４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【００４５】
１  横目地止水構造体    ２  見切りカバー    ３  止水部材    ４  横目地    
５  上側外壁パネル    ６  下側外壁パネル    ２１  化粧部    ２２  被支持部
３１  ベース部    ３２  第１支持部（支持部）    ３２ａ  当接部    
３２ｂ  接続部
【図１】
0006496206.tif 000002
【図２】
0006496206.tif 000003
【図３】
0006496206.tif 000004
【図４】
0006496206.tif 000005